(57)【要約】【課題】貯蔵室内の容器の上に配置した可動体が冷蔵庫奥側に移動したときに、容器の冷蔵庫奥側の上部に配置してある機能部品に可動体が接触するのを抑制する。【解決手段】冷蔵庫本体３の野菜室７と、野菜室７に配置され、上方開口部５９を備える容器４３と、冷蔵庫奥側における上方開口部５９を閉塞するようにして容器４３に取り付けられる透湿カセット６１と、容器４３の左右側壁の上に、透湿カセット６１の上を含めて前後方向に移動自在に載置される小容器５７とを有する。容器４３の左右側壁の上部に凹部５０ｂが形成され、容器４３の左右側壁に対向する小容器５７の下部に、小容器５７が容器４３に対して基準の位置にあるときに凹部５０ｂに入り込む凸部６０ａが形成されている。【選択図】図７
2018204927.tif 000002
【特許請求の範囲】
【請求項１】
冷蔵庫本体に設けられる貯蔵室と、
前記貯蔵室に配置され、上方が開口する上方開口部を備える容器と、
冷蔵庫奥側における前記上方開口部を閉塞するようにして前記容器に取り付けられる機能部品と、
前記容器の左右側壁の上に、前記機能部品の上を含めて前後方向に移動自在に載置される可動体と、を有し、
前記容器の左右側壁の上部に凹部が形成され、
前記容器の左右側壁に対向する前記可動体の下部に、前記可動体が前記容器に対して基準位置にあるときに前記凹部に入り込む凸部が形成されていることを特徴とする冷蔵庫。
【請求項２】
前記容器は、前記凹部よりも冷蔵庫奥側の左右側壁の上部に、前記凹部の深さと同等の高さの突出部が上方に向けて突出して形成され、前記可動体は、前記容器に対して基準位置にあるときに、前記突出部の冷蔵庫前側に近接していることを特徴とする請求項１に記載の冷蔵庫。
【請求項３】
前記凹部が前記容器の左右側壁の前後方向に沿って複数設けられ、前記可動体が前記容器に対して基準位置にあるときに前記複数の凹部にそれぞれ入り込む凸部が前記可動体に複数形成されていることを特徴とする請求項１に記載の冷蔵庫。
【請求項４】
前記凹部は、冷蔵庫奥側に上部が下部よりも冷蔵庫奥側となるよう傾斜する凹部傾斜面を備え、
前記突出部は、冷蔵庫前側に上部が下部よりも冷蔵庫奥側となるよう傾斜する突出部傾斜面を備え、
前記突出部傾斜面は前記凹部傾斜面よりも水平面に対する傾斜角度が緩やかであることを特徴とする請求項２に記載の冷蔵庫。
【請求項５】
前記凹部は、冷蔵庫奥側に上部が下部よりも冷蔵庫奥側となるよう傾斜する凹部傾斜面を備え、
前記突出部は、冷蔵庫前側に上部が下部よりも冷蔵庫奥側となるよう傾斜する突出部傾斜面を備え、
前記凹部傾斜面と前記突出部傾斜面とは、水平面に対する傾斜角度が同等であることを特徴とする請求項２に記載の冷蔵庫。
【請求項６】
前記複数の凹部は、冷蔵庫奥側に上部が下部よりも冷蔵庫奥側となるよう傾斜する凹部傾斜面を備え、
前記複数の凹部のうち最も冷蔵庫前側に位置する凹部の前記凹部傾斜面に対し、冷蔵庫奥側に位置する凹部の前記凹部傾斜面のほうが、水平面に対する傾斜角度が緩やかであることを特徴とする請求項３に記載の冷蔵庫。
【請求項７】
前記複数の凹部は、冷蔵庫奥側に上部が下部よりも冷蔵庫奥側となるよう傾斜する凹部傾斜面を備え、前記複数の凹部の前記凹部傾斜面は、水平面に対する傾斜角度が同等であることを特徴とする請求項３に記載の冷蔵庫。
【請求項８】
前記貯蔵室は野菜室であり、前記機能部品は透湿膜ユニットであることを特徴とする請求項１ないし７のいずれか１項に記載の冷蔵庫。
【発明の詳細な説明】
【技術分野】
【０００１】
本発明は、貯蔵室に配置した容器の上に、前後方向に移動する可動体を備えた冷蔵庫に関する。
【背景技術】
【０００２】
特許文献１には、野菜室に下段容器を配置し、下段容器の上に前後方向に移動可能な上段容器を配置した冷蔵庫が開示されている。下段容器には、野菜室内の水分を吸収して外部に放出させる蒸散カセットを取り付けている。
【先行技術文献】
【特許文献】
【０００３】
【特許文献１】特開２０１７−１５３７６号公報
【発明の概要】
【発明が解決しようとする課題】
【０００４】
ところで、上記した蒸散カセットのような機能部品を、下段容器の冷蔵庫奥側の上部に取り付けた場合に、上段容器を下段容器に載せた状態で冷蔵庫奥側に移動させる際には、上段容器が蒸散カセットの表面に接触して破損する恐れがある。
【０００５】
そこで本発明は、貯蔵室内の容器の上に配置した可動体が冷蔵庫奥側に移動したときに、容器の冷蔵庫奥側の上部に配置してある機能部品に可動体が接触するのを抑制することを目的としている。
【課題を解決するための手段】
【０００６】
本発明の実施の形態の冷蔵庫は、冷蔵庫本体に設けられる貯蔵室と、前記貯蔵室に配置され、上方が開口する上方開口部を備える容器と、冷蔵庫奥側における前記上方開口部を閉塞するようにして前記容器に取り付けられる機能部品と、前記容器の左右側壁の上に、前記機能部品の上を含めて前後方向に移動自在に載置される可動体と、を有する。前記容器の左右側壁の上部に凹部が形成され、前記容器の左右側壁に対向する前記可動体の下部に、前記可動体が前記容器に対して基準位置にあるときに前記凹部に入り込む凸部が形成されている。
【図面の簡単な説明】
【０００７】
【図１】本発明の実施形態に係わる冷蔵庫の正面図である。
【図２】図１の冷蔵庫の右側方から見た断面図である。
【図３】図１の冷蔵庫の野菜室に配置する容器及び容器の上に載せた小容器を示す第１の実施形態に係わる平面図である。
【図４】図３のＡ−Ａ断面図である。
【図５】図３の容器の冷蔵庫前側から見た正面図である。
【図６】図４のＢ部の拡大図である。
【図７】図３の容器及び容器の上に載せる小容器を示す側面図である。
【図８】図７の容器の凹部及び突出部周辺を示す側面図である。
【図９】図７の小容器の凸部及び後端傾斜面周辺を示す側面図である。
【図１０】図７の小容器を容器の上に載せた状態を示す側面図である。
【図１１】小容器を図１０の基準位置から冷蔵庫奥側に移動させた状態を示す側面図である。
【図１２】図４に対し、小容器を冷蔵庫奥側に移動させた状態を示す断面図である。
【図１３】図１２のＣ部の拡大図である。
【図１４】第２の実施形態に係わる容器の図８に対応する側面図である。
【図１５】第２の実施形態に係わる小容器の図９に対応する側面図である。
【発明を実施するための形態】
【０００８】
以下、本発明の実施の形態を図面に基づき説明する。
【０００９】
図１、図２に示すように、本発明の実施形態に係わる冷蔵庫１は、冷蔵庫本体３の内部に貯蔵室として、上段から下段に向けて冷蔵室５及び野菜室７を順次設け、野菜室７の下部には製氷室９と上冷凍室１１とを左右に並べて設けてある。さらに、貯蔵室として、製氷室９及び上冷凍室１１の下部には、下冷凍室１３を設けてある。各貯蔵室は隔壁により仕切ってある。なお、以下の説明での「前後方向」は、図２中で左側の冷蔵庫前面側を前、右側の冷蔵庫裏面（奥）側を後とした前後方向であり、「左右方向」は図１中の冷蔵庫前面側から見て左右方向である。
【００１０】
冷蔵室５の前面には、冷蔵室５の前面開口部を開閉する左右の開閉扉１５，１７を設けている。左の開閉扉１５は、図１中で左側端部の図示しないヒンジを介して左右に開閉し、右の開閉扉１７は、図１中で右側端部の図示しないヒンジを介して左右に開閉する。
【００１１】
野菜室７、製氷室９、上冷凍室１１及び下冷凍室１３の各前面には、それぞれの前面開口部を開閉する引き出し式の引出扉１９，２１，２３及び２５を設けている。引出扉１９，２１，２３及び２５は、いずれも冷蔵庫本体３の図示しない各ガイドレールにガイドされて前後にスライド移動する。
【００１２】
冷蔵庫本体３の下冷凍室１３の後方下部には機械室２７を形成し、機械室２７に圧縮機２９を収容している。冷蔵庫本体３の後方の野菜室７の後側に、送風ダクト３１を形成し、送風ダクト３１の上部に冷蔵用冷気循環ファン３３を、下部に冷蔵室・野菜室用冷却器３５をそれぞれ配置している。さらに、冷蔵庫本体３の後方の製氷室９、上冷凍室１１及び下冷凍室１３の後側に、送風ダクト３７を形成し、送風ダクト３７の上部に冷凍用冷気循環ファン３９を、下部に冷凍室用冷却器４１をそれぞれ配置している。
【００１３】
冷蔵室・野菜室用冷却器３５及び冷凍室用冷却器４１は、圧縮機２９から供給される冷媒によって冷却される。冷蔵室５及び野菜室７は、冷蔵用冷気循環ファン３３と冷蔵室・野菜室用冷却器３５の動作により、それぞれ所定の設定温度に冷却して保持される。製氷室９、上冷凍室１１及び下冷凍室１３は、冷凍用冷気循環ファン３９と冷凍室用冷却器４１の動作により、それぞれ所定の設定温度に冷却して保持される。冷凍用冷気循環ファン３９付近の冷気流路内には、貯蔵室用ダンパ３９Ａを設けており、図示しない制御部は貯蔵室用ダンパ３９Ａの角度調整を行う。
【００１４】
野菜室７の引出扉１９は、野菜等の貯蔵物を収納する容器４３を保持して収容している。具体的には、引出扉１９は、野菜室７側の後面の上部に、前後方向に延在する図示しない容器保持アームを、左右一対備えている。一方、図３〜図５に示す容器４３の上端の左右両側には、左右両側方に向けて突出する被保持突部４３ａを、容器４３の前後方向の略全長に設けている。引出扉１９の容器保持アームの上に被保持突部４３ａを載せることで、容器４３が引出扉１９に保持される。この状態で、容器４３は引出扉１９（容器保持アーム）から上方に持ち上げることで取り外すことができる。
【００１５】
容器４３は、図３〜図５に示すように、底壁４５、前壁４７、後壁４９及び左右の側壁５１，５３を備えている。容器４３は、これらの壁４５，４７，４９，５１，５３に囲まれた内側に収納空間５５が形成され、収納空間５５は、上方開口部５９が形成されて上方が開口している。上記した被保持突部４３ａは、左右の側壁５１，５３の上部に形成されている。容器４３の上には、容器４３に比較して容積が小さい可動体としての小容器５７を載せている。小容器５７は、図４、図７に示すように、小容器底壁５７ａ、小容器前壁５７ｂ、小容器後壁５７ｃ、小容器左右側壁５７ｄを備えて上部が開口している。
【００１６】
小容器５７は、図７に示すように、小容器左右側壁５７ｄの小容器底壁５７ａ近傍に前後方向に延在する被支持部５８を設けてある。被支持部５８は、小容器左右側壁５７ｄから左右方向の外側に向けて突出していて、小容器前壁５７ｂ近傍から小容器後壁５７ｃ近傍にわたり設けてある。小容器５７は、被支持部５８を容器４３の左右の側壁５１，５３の上に載せることで、容器４３に保持される。このため、小容器５７は、被支持部５８を側壁５１，５３の上に載せた状態で、小容器底壁５７ａを含む下部が容器４３の内部に入り込む。
【００１７】
小容器５７が図２、図４に示す基準位置（ホームポジション）にある状態で、前壁４７側に上方開口部５９の一部が露出している。小容器５７は、基準位置（ホームポジション）から、容器４３に対して後方にスライド移動させることで、上方開口部５９が後方に徐々に拡がる。なお、図２に示す容器４３及び小容器５７は、簡略化して示したもので、図３〜図５に示す容器４３及び小容器５７とは形状が異なっている。
【００１８】
容器４３の後端側の上部には、機能部品としての透湿膜ユニットを構成する透湿カセット６１を取り付けている。透湿カセット６１は、基準位置にある小容器５７の後側の上方開口部５９を閉塞するようにして配置している。透湿カセット６１は、カセット本体及びカセット本体の上部開口を開閉するカバーを有するケース６３を備え、ケース６３内に図示しない透湿シートを格納している。ケース６３（カセット本体及びカバー）には、図３に示すように、ケース６３の内部と外部とを連通する通気孔６３ａを複数形成している。透湿カセット６１は、図４に示すように、扁平な板状であり、図３に示すように容器４３の左右の側壁５１，５３に跨るように取付具６７を介して側壁５１，５３に取り付けてある。これにより、透湿カセット６１は容器４３の後端側の上方開口部５９を覆う状態となる。
【００１９】
透湿シートは、例えばポリエステル長繊維不織布とポリエチレン多孔質フィルムをラミネート加工した透湿防水シートであり、安定した防水性の機能と、透湿性の機能と、風（冷気）の通過を抑制する機能を有する。ポリエステル長繊維不織布は、ポリエチレン多孔質フィルムを配置するための基材である。透湿シートは、例えば直径０．５μｍ〜３μｍの複数の孔を有しており、例えば０．０００４μｍ以下の水蒸気粒子を通過させるが、０．５μｍ〜３μｍよりも大きい水の分子の通過を抑制する。このため、透湿シート６５は、相反する透湿性の機能と、防水性の機能の両方を兼ね備えている。
【００２０】
図２に示す冷蔵室・野菜室用冷却器３５で冷却された冷気は、冷蔵用冷気循環ファン３３の作動により送風ダクト３１を通じて冷蔵室５内に送られる。冷蔵室５と野菜室７とを隔てる隔壁６９に連通孔６９ａを設けてあり、冷蔵室５の冷気は連通孔６９ａを通して野菜室７に流入する。連通孔６９ａを通る冷気の一部は、連通孔６９ａの下方に位置する透湿カセット６１に向かって流れる。冷気の他の一部は、野菜室７の前側に向かって流れる。
【００２１】
このとき、透湿カセット６１は、透湿シートが、容器４３内への冷気の流入を抑えかつ水蒸気の流入を許容する。これにより、容器４３に貯蔵してある野菜に、冷気が直接当たるのを抑制しながら水蒸気を容器４３内に導入でき、野菜の乾燥を抑制できる。特に、冷気が当たると劣化が激しい葉物野菜を、鮮度よく保存することができる。
【００２２】
図４のＢ部を拡大している図６に示すように、小容器５７の後端側の小容器底壁５７ａから後方に向けて突出する板状の突起部５７ｅを設けている。突起部５７ｅは、小容器５７の左右方向（図６中で紙面に直交する方向）の略全長にわたり形成してある。図４、図６に示す小容器５７の基準位置では、突起部５７ｅが、透湿カセット６１の前端側の一部の上方に位置している。このときの突起部５７ｅと透湿カセット６１との間の上下方向の間隔をｔとする。なお、突起部５７ｅの下面は、小容器底壁５７ａの下面と略同一面である。このため、小容器底壁５７ａの下面と透湿カセット６１との間の上下方向の間隔もｔと略同等である。間隔ｔは極めて小さいものであり、冷気が通りにくくなっている。
【００２３】
図７に示すように、容器４３の左右の側壁５１，５３の上面５０は、最も前側の前側上面５０ａが底壁４５からの上下方向の高さが最も高くなっている。前側上面５０ａより後側の上面５０は、前側上面５０ａと略平行な受面５０ｃとなっている。受面５０ｃの底壁４５からの上下方向の高さは、前側上面５０ａの同高さよりも低い。受面５０ｃに小容器５７が載せられる。受面５０ｃの前側上面５０ａ側の端部には、凹部５０ｂを形成している。
【００２４】
凹部５０ｂは、図８に拡大して示すように、底面５０ｂ１と、底面５０ｂ１の前側の端部から略垂直に上方に向けて立ち上がる縦面５０ｂ２と、底面５０ｂ１の後側の端部から後方斜め上方に向けて傾斜して立ち上がる凹部傾斜面５０ｂ３とを備えている。受面５０ｃの後端部には、上方に向けて突出する突出部５０ｄを形成している。突出部５０ｄの上下方向の高さｄは、凹部５０ｂの深さｂと同等である（ｂ＝ｄ）。
【００２５】
突出部５０ｄは、突出部上面５０ｄ１と、突出部上面５０ｄ１の前端から前側下方に向けて傾斜する突出部傾斜面５０ｄ２と、突出部上面５０ｄ１の後端から後側下方に向けて傾斜する突出部後傾斜面５０ｄ３とを備えている。突出部傾斜面５０ｄ２は、受面５０ｃから後側上方に向けて傾斜しており、水平面（受面５０ｃ）に対する傾斜角度α（例えば３０度前後）が、凹部傾斜面５０ｂ３の水平面（底面５０ｂ１）に対する傾斜角度β（例えば４５度前後）よりも小さい。すなわち、突出部傾斜面５０ｄ２の傾斜角度は、凹部傾斜面５０ｂ３の傾斜角度よりも緩やかである。
【００２６】
図７に示す小容器５７の被支持部５８の下面６０は、容器４３の側壁５１，５３の上面５０に対向している。下面６０は、前側の端部に下方に向けて突出する凸部６０ａを備えている。凸部６０ａは、図９に拡大して示すように、下面６０ａ１と、下面６０ａ１の前側の端部から略垂直に上方に向けて立ち上がる縦面６０ａ２と、下面６０ａ１の後側の端部から後方斜め上方に向けて傾斜する凸部傾斜面６０ａ３とを備えている。図８に示す凹部５０ｂの形状と、図９に示す凸部６０ａの形状とは略同等であり、凹部傾斜面５０ｂ３の傾斜角度と凸部傾斜面６０ａ３の傾斜角度とは略同等である。図１０のように、小容器５７を容器４３の上に載せた状態で、凹部５０ｂに凸部６０ａが入り込む。
【００２７】
凸部６０ａの後方側の下面６０は、被受面６０ｂとなっていて、被受面６０ｂの後端部から後側上方に向けて傾斜する後端傾斜面６０ｃを形成している。後端傾斜面６０ｃは、図１０のように、小容器５７を容器４３の上に載せた状態で、容器４３の突出部傾斜面５０ｄ２に略当接する。突出部傾斜面５０ｄ２と後端傾斜面６０ｃとの傾斜角度は略同等である。
【００２８】
図４、図１０のように、小容器５７を容器４３の上に載せた状態では、小容器５７の凸部６０ａが容器４３の凹部５０ｂに入り込み、小容器５７の後端傾斜面６０ｃが容器４３の突出部傾斜面５０ｄ２に略当接する。このとき、小容器５７の被受面６０ｂが、容器４３の受面５０ｃに載置される。この状態が、小容器５７の容器４３に対する前述した基準位置（ホームポジション）である。
【００２９】
小容器５７を基準位置から後方に向けて押し付けると、凸部傾斜面６０ａ３が凹部傾斜面５０ｂ３に、後端傾斜面６０ｃが突出部傾斜面５０ｄ２にそれぞれ押し付けられる。これにより、凸部傾斜面６０ａ３及び後端傾斜面６０ｃが、凹部傾斜面５０ｂ３及び突出部傾斜面５０ｄ２にそれぞれガイドされるようにして摺動し、小容器５７はその全体が容器４３に対し後側斜め上方に向けて移動する。
【００３０】
小容器５７は、後側斜め上方に向けて移動した後、図１１に示すように、凸部６０ａが受面５０ｃ上に位置し、被受面６０ｂが突出部５０ｄの突出部上面５０ｄ１上に位置する。これにより小容器５７は、容器４３に対し、凹部５０ｂの深さｂ（＝突出部５０ｄの高さｄ）の分、上方に移動したことになる。図１１に示す小容器５７は、図１０に示す小容器５７に対し、凹部５０ｂの深さｂ（＝突出部５０ｄの高さｄ）の分、上方に位置している。
【００３１】
図１２に示す小容器５７は、図４に示す小容器５７に対し、凹部５０ｂの深さｂ（＝突出部５０ｄの高さｄ）の分、上方に位置していることを示す。図１３は、図１２のＣ部を拡大して示しており、小容器５７の底壁５７ａの下面と透湿カセット６１との間の上下方向の間隔がＴとなっている。間隔Ｔは、図６に示した間隔ｔに対し、凹部５０ｂの深さｂ（＝突出部５０ｄの高さｄ）の分だけ大きい。この状態は、小容器５７の凸部６０ａが受面５０ｃ上に乗り上げ、小容器５７の被受面６０ｂが突出部上面５０ｄ１上に乗り上げた時点で確保される。
【００３２】
このため、凸部６０ａが受面５０ｃ上に乗り上げかつ、被受面６０ｂが突出部上面５０ｄ１上に乗り上げてから、さらに小容器５７を後方に移動させるときには、小容器５７の下面（底壁５７ａ）は、透湿カセット６１に対して間隔Ｔの分だけ上方に充分離れることになる。これにより、小容器５７と透湿カセット６１との接触を回避できる。
【００３３】
以上、本実施形態によれば、冷蔵庫本体３に設けられる野菜室７と、野菜室７に配置され、上方が開口する上方開口部５９を備える容器４３と、冷蔵庫奥側における上方開口部５９を閉塞するようにして容器４３に取り付けられる透湿カセット６１と、容器４３の左右側壁５１，５３の上に、透湿カセット６１の上を含めて前後方向に移動自在に載置される小容器５７と、を有する。容器４３の左右側壁５１，５３の上部に凹部５０ｂが形成され、容器４３の左右側壁５１，５３に対向する小容器５７の下部に、小容器５７が容器４３に対して基準位置にあるときに凹部５０ｂに入り込む凸部６０ａが形成されている。
【００３４】
このため、小容器５７は、基準位置から後方に移動させると、凸部６０ａが凹部５０ｂから抜け出た後、容器４３の左右側壁５１，５３の受面５０ｃ上に乗り上げ、容器４３に対して上方に移動して透湿カセット６１との間隔を広げる。これにより、小容器５７と透湿カセット６１との接触を抑え、透湿カセット６１の破損を抑制できる。
【００３５】
小容器５７を図１１、図１２の位置から基準位置に戻すには、小容器５７を前側に引き戻す。これにより、凸部６０ａが凹部５０ｂに入り込み、後端傾斜面６０ｃが突出部傾斜面５０ｄ２に略当接した状態となる。このとき、凹部５０ｂの縦面５０ｂ２がストッパとなって小容器５７の基準位置が確保される。
【００３６】
本実施形態は、容器４３が、凹部５０ｂよりも冷蔵庫奥側の左右側壁５１，５３の上部に、凹部５０ｂの深さと同等の高さの突出部５０ｄが上方に向けて突出して形成され、小容器５７の後端傾斜面６０ｃは、容器４３に対して基準位置にあるときに、突出部５０ｄの冷蔵庫前側に近接している。
【００３７】
この場合、小容器５７を後側に向けて移動させる際に、突出部５０ｄが凹部５０ｂから抜け出すと略同時に、先端の後端傾斜面６０ｃが突出部傾斜面５０ｄ２に沿って上昇する。このとき、小容器５７は、略平行移動しながら後側の斜め上方に向けて移動し、凸部６０ａが受面５０ｃに乗り上げ、被受面６０ｂが突出部上面５０ｄ１に乗り上げた後も、略平行移動しながら後側に向けて移動する。これにより、小容器５７は、移動時の前後方向の傾斜を抑制でき、収容物の予期しない移動を抑制できる。
【００３８】
本実施形態は、凹部５０ｂが、冷蔵庫奥側に上部が下部よりも冷蔵庫奥側となるよう傾斜する凹部傾斜面５０ｂ３を備え、突出部５０ｄが、冷蔵庫前側に上部が下部よりも冷蔵庫奥側となるよう傾斜する突出部傾斜面５０ｄ２を備えている。突出部傾斜面５０ｄ２は、凹部傾斜面５０ｂ３よりも水平面に対する傾斜角度が緩やかである。
【００３９】
小容器５７を後側に向けて移動させる際には、小容器５７の前側の端縁を掴み上方に多少持ち上げて行う場合がある。小容器５７を持ち上げることによって、凸部６０ａが凹部５０ｂから抜け出て、この状態で小容器５７を後側に向けて押し付ける。このとき、小容器５７の先端の後端傾斜面６０ｃが突出部傾斜面５０ｄ２に沿って移動する。突出部傾斜面５０ｄ２は、凹部傾斜面５０ｂ３よりも水平面に対する傾斜角度が緩やかであるため、後端傾斜面６０ｃが突出部傾斜面５０ｄ２に沿って移動する動作がより円滑になり、小容器５７の後側への移動が容易となる。
【００４０】
図８では、突出部傾斜面５０ｄ２の傾斜角度αを、凹部傾斜面５０ｂ３の傾斜角度βよりも小さくしているが、α＝βとして同等としてもよい。これに対応して、小容器５７の凸部傾斜面６０ａ３及び後端傾斜面６０ｃの傾斜角度も同等とする。α＝βとする際には、緩やかな傾斜角度αをより急峻な傾斜角度βに合わせることで、基準位置にある小容器５７の後側への移動が抑えられ、基準位置での小容器５７が安定する。
【００４１】
図１４、図１５は、第２の実施形態を示しており、図８、図９に対応している。第２の実施形態は、容器４３Ａが、図８に示してある突出部５０ｄに代えて後方凹部５０ｅを備えている。但し、後方凹部５０ｅは、突出部５０ｄのように小容器５７の後端付近に位置するのではなく、小容器５７の後端と凹部５０ｂとの間の中間付近に位置する。凹部５０ｂは、図８の凹部５０ｂと同様の形状である。
【００４２】
後方凹部５０ｅは、凹部５０ｂと同様に、底面５０ｅ１と、底面５０ｅ１の前側の端部から略垂直に上方に向けて立ち上がる縦面５０ｅ２と、底面５０ｅ１の後側の端部から後方斜め上方に向けて傾斜して立ち上がる凹部傾斜面５０ｅ３とを備えている。後方凹部５０ｅの前側の受面５０ｃ１及び後側の受面５０ｃ２は、図８の受面５０ｃと上下方向の高さ位置が同等である。後側の受面５０ｃ２は、容器４３Ａの後端まで形成してある。
【００４３】
図１５に示すように、小容器５７Ａは、図９の後端傾斜面６０ｃに代えて、後方凸部６０ｄを備えている。凸部６０ａは図９の凸部６０ａと同様の形状であり、後方凸部６０ｄは凸部６０ａと同様の形状である。すなわち、後方凸部６０ｄは、下面６０ｄ１と、下面６０ｄ１の前側の端部から略垂直に上方に向けて立ち上がる縦面６０ｄ２と、下面６０ｄ１の後側の端部から後方斜め上方に向けて傾斜する凸部傾斜面６０ｄ３とを備えている。
【００４４】
後方凸部６０ｄの前側の被受面６０ｂ１及び後側の被受面６０ｂ２は、図９の被受面６０ｂと上下方向の高さ位置が同等である。後側の被受面６０ｂ２は、小容器５７Ａの後端まで形成してある。容器４３Ａの凹部５０ｂと後方凹部５０ｅとの前後方向の間隔は、小容器５７Ａの凸部６０ａと後方凸部６０ｄとの前後方向の間隔と同等である。したがって、小容器５７Ａを基準位置で容器４３Ａの上に載せたときには、凸部６０ａが凹部５０ｂに入り込み、後方凸部６０ｄが後方凹部５０ｅに入り込む。
【００４５】
小容器５７Ａを容器４３Ａに対して基準位置にある状態から後方に移動させると、凸部６０ａが凹部５０ｂから抜け出し、後方凸部６０ｄが後方凹部５０ｅから抜け出す。その後、凸部６０ａが前側の受面５０ｃ１に乗り上げ、後方凸部６０ｄが後側の受面５０ｃ２に乗り上げる。これにより、小容器５７Ａは、第１の実施形態と同様に、容器４３Ａに対して上方に移動して透湿カセット６１との上下方向の間隔が広がる。但し、この場合、凹部５０ｂと後方凹部５０ｅとの前後方向の間隔は、小容器５７Ａを図１１、図１２のように最も後方に移動させたときに、凸部６０ａが後方凹部５０ｅに入り込まず、かつ、後方凸部６０ｄが後側の受面５０ｃ２に載っている状態となることが必要である。
【００４６】
第２の実施形態は、容器４３Ａの左右側壁に前後方向に沿って凹部５０ｂ及び後方凹部５０ｅが設けられ、小容器５７Ａが容器４３Ａに対して基準位置にあるときに、凹部５０ｂ及び後方凹部５０ｅにそれぞれ入り込む凸部６０ａ及び後方凸部６０ｄが小容器５７Ａに形成されている。
【００４７】
この場合、小容器５７Ａを容器４３Ａに対して基準位置にある状態から後方に移動させる際に、凸部６０ａが凹部５０ｂから抜け出して受面５０ｃ１に乗り上げ、後方凸部６０ｄが後方凹部５０ｅから抜け出して受面５０ｃ２に乗り上げる。これにより、小容器５７Ａは、容器４３Ａに対して上方に移動して透湿カセット６１との上下方向の間隔が広がり、小容器５７Ａと透湿カセット６１との接触を抑え、透湿カセット６１の破損を抑制できる。
【００４８】
第２の実施形態は、二つの凹部５０ｂ及び後方凹部５０ｅが、冷蔵庫奥側に上部が下部よりも冷蔵庫奥側となるよう傾斜する凹部傾斜面５０ｂ３，５０ｅ３をそれぞれ備え、凹部傾斜面５０ｂ３，５０ｅ３は、水平面に対する傾斜角度が同等である。この場合、特に、凹部傾斜面５０ｅ３の傾斜角度を、図８の凹部傾斜面５０ｂ３と同等の角度とすることで、基準位置にある小容器５７Ａの後側への移動が抑えられ、基準位置での小容器５７Ａが安定する。
【００４９】
なお、第２の実施形態は、凹部５０ｂ及び後方凹部５０ｅが、冷蔵庫奥側に上部が下部よりも冷蔵庫奥側となるよう傾斜する凹部傾斜面５０ｂ３，５０ｅ３をそれぞれ備え、凹部５０ｂ及び後方凹部５０ｅのうち最も冷蔵庫前側に位置する凹部５０ｂの凹部傾斜面５０ｂ３に対し、冷蔵庫奥側に位置する後方凹部５０ｅの凹部傾斜面５０ｅ３が、水平面に対する傾斜角度が緩やかとなっていてもよい。
【００５０】
すなわち、後方凹部５０ｅの凹部傾斜面５０ｅ３を、図８の突出部傾斜面５０ｄ２と同等の緩やかな傾斜面としてもよい。これにより、小容器５７Ａの前側の端縁を掴み上方に多少持ち上げて後側に向けて移動させる際に、後方凸部６０ｄが緩やかな凹部傾斜面５０ｅ３に沿って移動する動作がより円滑になり、小容器５７Ａの後側への移動が容易となる。
【００５１】
上記した各実施形態は、貯蔵室が野菜室７であり、機能部品は透湿カセット６１である。この場合、小容器５７，５７Ａを容器４３，４３Ａに対して後側に向けて移動させたときに、透湿カセット６１の破損を抑制できる。透湿カセット６１の破損を抑制することで、透湿カセット６１の機能を維持でき、容器４３，４３Ａ内に貯蔵してある野菜の乾燥を継続して確保することができる。
【００５２】
以上、本発明の実施形態について説明したが、これらの実施形態は本発明の理解を容易にするために記載された単なる例示に過ぎず、本発明は当該実施形態に限定されるものではない。本発明の技術的範囲は、上記実施形態で開示した具体的な技術事項に限らず、そこから容易に導きうる様々な変形、変更、代替技術なども含む。
【００５３】
例えば、機能部品として透湿カセット６１に限ることはなく、透湿カセット６１に代えて、臭気物質や植物老化ホルモンであるエチレン等の気体を浄化する空気浄化カセットを使用してもよい。また、可動体として小容器５７，５７Ａ等の容器に限ることはなく、皿形状のものや容器４３，４３Ａの上方開口部５９を塞ぐ蓋であってもよい。
【符号の説明】
【００５４】
１  冷蔵庫
３  冷蔵庫本体
７  野菜室（貯蔵室）
４３  容器
５０ｂ  容器の凹部
５０ｂ３，５０ｅ３  凹部傾斜面
５０ｄ  容器の突出部
５０ｄ２  突出部傾斜面
５０ｅ  容器の後方凹部
５１，５３  容器の左右側壁
５７  小容器（可動体）
５９  容器の上方開口部
６０ａ  小容器の凸部
６０ｄ  小容器の後方凸部
６１  透湿カセット（透湿膜ユニット、機能部品）
【図１】
2018204927.tif 000003
【図２】
2018204927.tif 000004
【図３】
2018204927.tif 000005
【図４】
2018204927.tif 000006
【図５】
2018204927.tif 000007
【図６】
2018204927.tif 000008
【図７】
2018204927.tif 000009
【図８】
2018204927.tif 000010
【図９】
2018204927.tif 000011
【図１０】
2018204927.tif 000012
【図１１】
2018204927.tif 000013
【図１２】
2018204927.tif 000014
【図１３】
2018204927.tif 000015
【図１４】
2018204927.tif 000016
【図１５】
2018204927.tif 000017